(57)【要約】【課題】衣服、手荷物、ペットに付着した各種汚染物質や微生物を、住宅や各種建造物内に入る以前の段階で浄化することが出来る浄化装置の提供。【解決手段】断面形状が扁平な中空管状部材（１０）と、該中空管状部材（１０）の両端部に接続され且つ該中空管状部材（１０）の下方に配置された柱状部材（２０、３０）とを有し、前記中空管状部材（１０）の扁平な断面形状の長手方向は利用者の進行方向であり、柱状部材の一方（２０）の内部には浄化材の貯蔵部材（カートリッジ４）が収容され、前記中空管状部材（１０）の扁平な断面形状の長手方向には間隔を空けて複数の浄化材噴霧ノズル５が配置されている。【選択図】図１
2011067498.tif 000002
【特許請求の範囲】
【請求項１】
ゲート状に配置され且つ断面形状が扁平な中空管状部材と、該中空管状部材の両端部に接続され且つ該中空管状部材の下方に配置された柱状部材とを有し、前記中空管状部材の扁平な断面形状の長手方向は利用者の進行方向であり、柱状部材の一方の内部には浄化材の貯蔵部材が収容され、前記中空管状部材の扁平な断面形状の長手方向には間隔を空けて複数の浄化材噴霧ノズルが配置され、該浄化材噴霧ノズルは噴射方向が下方であり且つ前記中空管状部材の全長に亘って配置されており、前記柱状部材の浄化材配管及び前記中空管状部材の中空部分を介して、前記貯蔵部材と浄化材噴霧ノズルとが連通していることを特徴とする浄化装置。
【請求項２】
前記浄化材噴霧ノズルは、前記中空管状部材下方の空気中で、中空管状部材の扁平な断面形状の長手方向について所定の範囲に亘って浄化材が漂う様に当該浄化材を噴霧する機能を有している請求項１の浄化装置。
【請求項３】
前記中空管状部材下方の位置に敷物状部材が配置されており、該敷物状部材には重量センサが設けられ、重量センサが所定値以上の重量を検知すると前記浄化材噴霧ノズルから浄化材が噴霧される請求項２の浄化装置。
【請求項４】
前記柱状部材に操作手段が設けられており、当該操作手段が操作されると前記浄化材噴霧ノズルから浄化材が噴霧される請求項２、３の何れかの浄化装置。
【請求項５】
前記重量センサが所定値以上の重量を検知すると、敷物状部材から浄化材が滲み出てくる機能を有している請求項３、４の何れかの浄化装置。
【発明の詳細な説明】
【技術分野】
【０００１】
本発明は、浄化装置に関する。より詳細には、本発明は、住宅や各種建造物に入ろうとする者（利用者）に付着した各種汚染物質や微生物（インフルエンザウィルス等を含む）を浄化して、係る汚染物質や微生物が住宅や建造物内に侵入して、散乱し、住宅や建造物内に蔓延してしまうことを防止するための装置に関する。
【背景技術】
【０００２】
いわゆる「鳥インフルエンザ」や、人類が免疫を持たないタイプのいわゆる「新型インフルエンザ」の流行に伴い、昨今、予防意識、衛生意識が非常に高まっている。
インフルエンザの予防として、うがいや手洗いの励行、各種マスクの着用等、種々の予防手段が講じられている。そして、これ等の予防手段は、それなりに有効である。
【０００３】
しかし、その様な予防手段を講じていたとしても、例えばインフルエンザに罹患した者の唾液、その他の体液（あるいは、各種汚染物質や微生物）が、知らぬ間に衣服等に付着してしまう場合が存在する。
その様な場合に、当該衣服を着た状態で住宅や各種建造物に入ってしまうと、前記体液や汚染物質が乾燥して、住宅や各種建造物内で各種汚染物質やインフルエンザウィルスが蔓延してしまう。
そして、住宅や各種建造物内にインフルエンザウィルスが蔓延してしまうと、上述した様な予防手段を十分に講じていたとしても、インフルエンザに罹患してしまう可能性が非常に高くなる。
【０００４】
同様に、バッグその他の手荷物や、犬、猫のペットに、各種汚染物質や微生物が付着する可能性は高い。そして、当該手荷物やペットが住宅や各種建造物内に入り込めば、汚染物質や微生物が住宅や建造物内に拡散してしまうことになる。
これに対して、衣服、手荷物、ペット等に付着した各種汚染物質や微生物を、住宅や各種建造物内に入る以前の段階で浄化する技術は、現時点では提案されていない。
【０００５】
その他の従来技術として、例えば、ゲート状に構成されており、当該ゲートを通過する自動車に対して洗浄液を噴射して、当該自動車を洗浄する装置が提案されている（例えば、特許文献１参照）。
しかし、係る装置は、住宅や建造物に入る際に、当該住宅や建造物に入ろうとする利用者の衣服、手荷物、ペットに付着した各種汚染物質や微生物を浄化するのに用いることは出来ない。利用者である住人が通過する際にゲート状の部材から洗浄剤を噴射しても、住人の体側部には噴射されても、住人の正面や背面には噴射されないからである。
そのため、衣服の正面や背面に付着した汚染物質や微生物を浄化することが出来ず、当該汚染物質や微生物が住居や建造物内部に散乱してしまうこととなる。
また、ゲートを構成する部材のみでは、住宅の出入り口に配置するには、見た目が不安定であり、美観を損ねる。
【先行技術文献】
【特許文献】
【０００６】
【特許文献１】特開２００７−８９９５１号公報
【発明の概要】
【発明が解決しようとする課題】
【０００７】
本発明は上述した従来技術の問題点に鑑みて提案されたものであり、衣服、手荷物、ペットに付着した各種汚染物質や微生物を、住宅や各種建造物内に入る以前の段階で浄化することが出来る浄化装置の提供を目的としている。
【課題を解決するための手段】
【０００８】
本発明の浄化装置（１０１）は（住宅や各種建造物の入口に配置され）、ゲート状に配置され且つ断面形状が扁平な中空管状部材（ゲートを構成する平板な中空管状部材）と、該中空管状部材（１０）の両端部に接続され且つ該中空管状部材（１０）の下方に配置された柱状部材（カートリッジタンク及びウェイトバランサーの収容部材２０、３０）とを有し、前記中空管状部材（１０）の扁平な断面形状の長手方向は（住宅や建造物に利用者Ｍが入る際における）利用者（Ｍ）の進行方向（矢印Ａ）であり、柱状部材の一方（２０）の内部には浄化材（汚染物質や各種微生物を浄化する材料：例えば、消毒剤）の貯蔵部材（カートリッジタンク４）が収容され、前記中空管状部材（１０）の扁平な断面形状の長手方向（住宅や建造物に利用者Ｍが入る際における進行方向）には間隔を空けて複数の浄化材噴霧ノズル５が配置され、該浄化材噴霧ノズル５は噴射方向が下方であり且つ前記中空管状部材（１０）の全長に亘って配置されており、前記柱状部材（１０）の浄化材配管及び前記中空管状部材（１０）の中空部分（に内蔵されたチューブＴ２）を介して、前記貯蔵部材（４）と浄化材噴霧ノズル（７）とが連通していることを特徴としている。
【０００９】
本発明において、前記浄化材噴霧ノズル（７）は、前記中空管状部材（１０）下方の空気中で、中空管状部材（１０）の扁平な断面形状の長手方向について所定の範囲（Ｄ：例えば５０ｃｍ±３０ｃｍ程度）に亘って浄化材が漂う様に当該浄化材を噴霧する機能を有しているのが好ましい。
【００１０】
また本発明において、前記中空管状部材（１０）下方の位置に敷物状部材（足元のマット９）が配置されており、該敷物状部材（９）には重量センサ（９０）が設けられ、重量センサ（９０）が所定値以上の重量を検知すると（利用者Ｍの体重を検知すると）前記浄化材噴霧ノズル（７）から浄化材が噴霧されるのが好ましい。
及び／又は、前記柱状部材（２０）に操作手段（例えば、手動スイッチ８０）が設けられており、当該操作手段が操作されると前記浄化材噴霧ノズル（７）から浄化材が噴霧されるのが好ましい。
【００１１】
さらに本発明において、前記重量センサ（９０）が所定値以上の重量を検知すると（利用者Ｍの体重を検知すると）、敷物状部材（９）から浄化材が滲み出てくる機能を有しているのが好ましい。
【００１２】
本発明において、浄化材としては、消毒剤、無菌材、強電解水（強酸性水、強アルカリ性水）が好ましい。そして、消臭剤、芳香材、オゾン、フィトンチッテ（森林浴の物質）、を添加することが可能である。
【発明の効果】
【００１３】
上述する構成を具備する本発明によれば、浄化材噴霧ノズル（７）から浄化材が噴霧されると、中空管状部材（１０）の下方で浄化材が噴霧された領域では、噴霧された浄化材が空中に漂っている。ここで、本発明では、前記中空管状部材（１０）の扁平な断面形状の長手方向（住宅や建造物に利用者Ｍが入る際における進行方向）には間隔を空けて複数の浄化材噴霧ノズル（７）が配置されているので、浄化材が空中に漂っている領域（噴霧ゾーンＢ）は、前記中空管状部材（１０）の扁平な断面形状の長手方向、すなわち住宅や建造物に利用者（Ｍ）が入る際における進行方向について、所定の範囲（Ｄ：例えば５０ｃｍ±３０ｃｍ程度）を有することになる。
住宅や建造物に利用者が入る際における進行方向の所定範囲に亘って、浄化材が漂っている領域が形成されるため、当該領域を利用者（Ｍ）が歩くことにより、利用者（Ｍ）の全身に亘って、衣服（手荷物Ｎ、下半身）や身体に満遍なく、浄化材が散布される。
【００１４】
仮に、浄化材が空気中に漂っている領域が、利用者（Ｍ）の進行方向に幅を持っていなければ、換言すれば、利用者（Ｍ）の進行方向について薄い膜状に形成されていれば）、消毒剤は利用者（Ｍ）の正面側にのみ付着し、利用者（Ｍ）の背面側に付着した汚染物質や微生物等は、排除されること無く住宅や建造物内に侵入し、その内部に散乱してしまう。
本発明では、進行方向の所定範囲に亘って、浄化材が漂っている領域が形成されるため、浄化材が利用者（Ｍ）の背面側における衣服等に付着した汚染物質や微生物等にも接触し、住宅や建造物内で散乱する以前に汚染物質や微生物等を浄化することが出来るのである。
【００１５】
ここで、例えば咳の飛沫等に包含される汚染物質や各種微生物（インフルエンザのウィルス等を含む）は、下半身側（パンツ側）に付着することが多く、上半身のみに消毒液が噴霧され、下半身側のパンツやスカート等には消毒液が噴霧されない状態では、下半身側に付着した汚染物質や微生物等が、そのまま、住宅や建造物の内部に蔓延してしまう。
本発明によれば、利用者（Ｍ）の全身に亘って、衣服（手荷物Ｎ、下半身）や身体に満遍なく、浄化材が散布されるので、利用者（Ｍ）の下半身側のパンツやスカート等にも十分に浄化材が接触する。そのため、下半身側に付着した汚染物質や微生物等が住宅や建造物の内部に入り込む以前の段階で、確実に浄化される。
【００１６】
本発明において、前記柱状部材（２０）に操作手段（例えば、手動スイッチ（８０）が設けられており、当該操作手段（８０）が操作されると前記浄化材噴霧ノズル（７）から浄化材が噴霧される様に構成されていれば、当該操作手段（８０）を操作することにより、手荷物（Ｎ）やペットに付着した汚染物質や各種微生物を浄化することが可能となる。
手荷物（Ｎ）やペットは、中空管状部材（１０）の下方の浄化材が漂っている領域（噴霧ゾーンＢ）を通過しない可能性があるが、当該領域（Ｂ）に手荷物（Ｎ）やペットを位置させて、操作手段（８０）を操作すれば、手荷物（Ｎ）やペットは、浄化材が噴霧された領域（Ｂ）を確実に通過する。その結果、手荷物（Ｎ）やペットに付着した汚染物質や微生物等は、住宅や建造物内で散乱する以前に浄化される。
これに加えて、例えば、インフルエンザに感染している可能性が高い人（インフルエンザ患者に接触した可能性が高い人）については、中空管状部材（１０）の下方の領域に静止させて、複数回、浄化材を噴霧して、入念にインフルエンザウィルスを除去することが可能となる。
【００１７】
本発明において、敷物状部材（９）の前記重量センサ（９０）が所定値以上の重量を検知すると（利用者Ｍの体重を検知すると）、敷物状部材（９）から浄化材が滲み出てくる機能を有していれば、滲み出した浄化材が靴底に接触することにより、靴底に付着した汚染物質や雑菌その他が消滅する。そして、靴底が乾いた後に、汚染物質や雑菌その他が住宅内に散乱する事態が防止される。
【００１８】
このように、本発明によれば、住宅や各種建造物内に汚染物質や微生物が侵入することを防止出来るので、どのような環境化においても、容易に、無菌空間を作り出すことが可能となる。
【図面の簡単な説明】
【００１９】
【図１】本発明の実施形態の概要を示す図である。
【図２】図１の実施形態を詳細に示す図である。
【図３】実施形態において、浄化材が噴霧される領域と、その領域を通過する利用者とを模式的に示す図である。
【図４】実施形態における浄化材供給機構及び配置系を示す図である。
【図５】実施形態における浄化材噴射の手順を示すフローチャートである。
【図６】実施形態の弟１変形例を示す図である。
【図７】第１変形例における浄化材供給機構及び配置系を示す図である。
【図８】実施形態の弟２変形例を示す図である。
【発明を実施するための形態】
【００２０】
以下、添付図面を参照して、本発明の実施形態について説明する。
図１〜図４は、本発明の実施形態を示している。図１は、実施形態の概要を概念的に示している。
図１において、全体を符号１０１で示す浄化装置は、中空管状部材１０、柱状部材２０、３０を有している。
柱状部材２０において、柱状部材３０と対向する面には、手動スイッチが設けられている。
図１では、柱状部材２０、３０が四角柱で示されているが、実機においては、図２に示すように構成されるのが好ましい。
【００２１】
中空管状部材１０の両端は、柱状部材２０、３０の頂部と接続されている。中空間状部材１０におけるアーチ内側の面には、複数の浄化材噴霧ノズル７が設けられている。
図示は省略するが、柱状部材２０、３０の高さを可変に構成することもできる。
柱状部材２０、３０の間の床面、すなわちには、中空管状部材１０の真下の床面Ｆには、織物状部材（以下、「マット」と記載する）９が敷かれている。
マット９には重量センサ９０が設けられている。そして、重量センサ９０が所定以上の重量を検知すると、前記浄化材噴霧ノズル７から浄化材が噴霧されるように構成されている。
また、重量センサ９０が所定以上の重量を検知すると、マット９の中央領域から、殺菌材或いは消毒液の様な浄化材が浸み出て来るように構成されている。なお、係る機構（重量センサ９０が所定以上の重量を検知すると、マット９の中央領域から、殺菌材或いは消毒液の様な浄化材が浸み出て来る機構）は、公知の技術を適用すればよい。
図１において、符号Ｍは、浄化装置１０１の利用者を示している。
【００２２】
図２の実機では、断面が扁平な矩形の中空管状部材１０は、半円弧状の上方部分１１と、垂直部分１２とを有している。垂直部分１２は、半円弧状の上方部分１１の両端から、垂直下方に延在している。
垂直部分１２の下端は、柱状部材２０、３０に接続されている
そして、浄化装置１０１全体は、アーチ状に形成されている。
図１、図２において矢印Ａは、利用者（図１の符号Ｍ）が、当該浄化装置１０１を利用する際に進行する方向である。また、中空管状部材１０と、柱状部材２０、３０とによって、アーチ状に形成された領域が、利用者Ｍが進行するための通路となる。
【００２３】
図２において、中空管状部材１０の（半円弧状の）上方部分１１内側には、上方部分１１の全長に亘って、利用者進行方（矢印Ａ方向）について複数個ずつ（図２では２個ずつ）、上方部分１１の長手方向における複数箇所に、浄化材噴霧ノズル７が設けられている。図２では、中空管状部材１０の半円弧状上方部分１１の長手方向に９箇所、合計１８個の浄化材噴霧ノズル７が配置されている。
なお、図１では、図示の簡略化のため、浄化材噴霧ノズル７は、利用者進行方（矢印Ａ方向）について１個ずつ設けられているが、実機では、利用者進行方（矢印Ａ方向）について、浄化材噴霧ノズル７は複数個設けるのが好ましい。
後述するように、ノズル７から浄化材が噴射されて、浄化材が空中に漂っている領域（噴霧ゾーン）Ｂを形成した際に、当該噴霧ゾーンＢが利用者進行方（矢印Ａ方向）について一定の幅を有するようにして、利用者Ｍの正面及び背面に満遍なく浄化材が付着するようにするためである。
利用者進行方（矢印Ａ方向）について配置される浄化材噴霧ノズル７の総数は、噴霧の広がり角度、噴霧の流速等を勘案して、ケース・バイ・ケースで設定される。
【００２４】
図２において、柱状部材２０、３０は、中心線Ｌｃに対して対称に配置されている。
柱状部材２０、３０は、ケーシングが樹脂製である。そして、柱状部材２０、３０は、その上方が半円弧状の厚板形状であり、全体が馬蹄形状に形成されている。
【００２５】
図３において、柱状部材２０、３０の高さ方向の寸法Ｈは、後述する収容物（カートリッジタンク４やポンプ５：図４参照）が収容できて、且つ、後述する手動スイッチ８０が柱状部材２０の通路側（図２の内側）の壁部２０ｉに配置できる寸法であれば、特に限定はされない。
柱状部材２０、３０の高さ方向の寸法Ｈ及び幅方向寸法Ｗは、噴霧された浄化材（消毒液）が、利用者Ｍや、その手荷物やペット以外には、なるべく付着しないように設定されている。
【００２６】
ここで、発明者の研究では、ゲートを構成する平板な中空部材１０と柱状部材２０、３０とが直接接続されている方が、ウイルスのシャットアウトというイメージが、視覚的に、利用者に強くアピールできることが分かっている。
したがって、図示の実施形態では、門形の中空管状部材１０を、カートリッジタンク４を収容した柱状部材２０、３０の上端と一体化している。
柱状部材２０、３０の上端までの高さＨを比較的低く押さえ、上端を円弧状にしたのは、見た目が安定しており、美観を損ねることがなく、視覚的に安心感を与える等の意匠的な効果をもたらすためである。
また、図示の実施形態に係る浄化装置は、住宅の出入口に配置することがあるので、安全上、および心理的影響を考慮して、デザイン的に、角部は極力排除したい。
これに対して、前述した特許文献１では、ゲートを構成する中空部材とカートリッジタンクは、角部が各所に見られ、安全面及びデザイン面から問題を有している。
【００２７】
前述したように、柱状部材２０において、柱状部材３０と対向する面には、手動のノズル作動スイッチ８０が配置されている。
手動のノズル作動スイッチ８０の上下方向取付位置、すなわちマット９上面からの高さｈは、例えば、小学生児童から成人が無理なく操作できる高さに設定されている。
手動のノズル作動スイッチ８０については、後述する。
【００２８】
図２、図３において、柱状部材２０、３０の下端面は、浄化装置１０１の安定確保のために、平板（例えば、滑り止めの表面処理を施されたアルミ板等）２Ｂ、３Ｂを、公知の手段によって固着している。
【００２９】
図４において、柱状部材２０の空洞内の下方（床面Ｆに近い位置）にカートリッジタンク４、ポンプ５、コントロールボックス８が収容されている。
カートリッジタンク４は、浄化材（例えば、消毒剤）を貯留している。
カートリッジタンク４は、ポンプ５の吸入側とチューブＴ１によって接続されている。
ポンプ５の吐出側は、チューブＴ２に接続されており、チューブＴ２は、１８個の浄化材噴霧ノズル７を有している。
【００３０】
カートリッジタンク４、ポンプ５、コントロールボックス８等は、浄化装置１０１全体の重心を下げる効果がある。
また、図示はされていないが、柱状部材３０の空洞内の図示しない底部に浄化材を充填した予備のカートリッジタンク４を据え置くことで、浄化装置１０１全体の重心を下げる効果を発揮する。
あるいは、例えば、水道水をタンクに充填したものをウェイトバランサーとして用いることもできる。
そのように、浄化装置１０１の転倒防止策が十分に行われれば、上述した平板２Ｂ、３Ｂは省略することが可能である。
あるいは、浄化装置１０１の設置場所が、例えば一般家屋の玄関内であり、他に転倒防止策を講じることができれば、鋼板製のベース部材２Ｂ、３Ｂは不要となる。
【００３１】
コントロールボックス８には、図示しないマイクロプロセッサが搭載されている。
図４において、コントロールボックス８は、入力信号ラインＬｅ１を介して、重量センサ９０と接続されている。
また、コントロールボックス８は、入力信号ラインＬｅ２を介して、手動のノズル作動スイッチ８０と接続されている。
さらに、コントロールボックス８は、制御信号ラインＬｅ３によってポンプ５と接続されている。
コントロールボックス８の図示しないマイクロプロセッサは、重量センサ９０から、所定以上の重量がマット９に作用した旨の信号を受信すると、ポンプ５を作動させる制御信号を、ポンプ５に対して発信する。
【００３２】
図３で示すように、図示の実施形態によれば、アーチ状の中空管状部材１０に設けたノズル７から消毒剤（浄化材）が噴霧される。ノズル７より下方に噴霧された消毒液は、空中に漂って、領域（噴霧ゾーン）Ｂを形成する。
係る噴霧ゾーンＢを利用者Ｍが通過することにより、利用者Ｍの全身にわたって、衣服（手荷物、下半身）や身体に満遍なく、消毒液が付着する。
そのため、装置１０１全体を、ゲートとして構成している。
【００３３】
従来のゲートを通過するタイプの消毒技術では、ゲート下を通過した利用者の上半身のみに消毒液が噴霧され、下半身側のパンツやスカート等には、消毒液が噴霧されない場合が多い。
しかし、例えば咳の飛沫等に包含される汚染物質や各種微生物（インフルエンザウィルス等を含む）は、下半身側（パンツ側）に付着することが多い。
上半身のみに消毒液が噴霧され、下半身側のパンツやスカート等には消毒液が噴霧されない状態で、住宅内に入ると、下半身側に付着した汚染物質や微生物等が、そのまま、住宅内に蔓延してしまう。
従って、利用者の下半身側（パンツ側）には消毒液を付着される必要があった。
上述した様に、図示の実施形態では、噴霧ゾーンＢを形成し、当該ゾーンＢを利用者Ｍが通過することにより、利用者Ｍの全身に消毒剤が付着する。以って、下半身に付着した汚染物質や微生物も浄化されて、住宅内に汚染物質や微生物を持ち込む恐れが減少する。
【００３４】
図３において、利用者Ｍの進行方向（図３の左右方向）について、寸法Ｄ（例えば５０ｃｍ±３０ｃｍ）の領域の噴霧ゾーンＢ（噴霧された浄化材が漂っている領域）を形成する。噴霧ゾーンＢを形成するため、ゲートを構成する平板な中空管状部材１０（の少なくとも水平部１１）の幅寸法ｗは、人間の進行方向（図３の左右方向）について、上記寸法Ｄの３０％程度、例えば１５ｃｍ±１０ｃｍに設定されている。
中空管状部材１０は、幅方向（図３の左右方向）の前端と後端（図３では左右端部）近傍に噴射ノズル７を設けている。そして、当該噴射ノズル７から、噴霧される消毒剤の中心線ＣＬ、ＣＲ間が、ｗの幅を持つように、消毒液を噴霧している。
上述したように、ゲートを構成する平板な中空管状部材１０は、進行方向に少なくとも１５ｃｍの幅を持つ様に、扁平な断面となっている。
噴射ノズル７の総数は、図示の実施形態では１８個であるが、これに限定されるものではない。
【００３５】
ここで、噴霧ゾーンＢは、利用者Ｍの頭部から、足先までを包含出来る様に形成されることが望ましい。そのため、噴霧ゾーンＢとして必要な範囲は、利用者が成人男子であるか、幼児であるかにより、大幅に変わる。
これに対して、中空管状部材１０の高さを調節可能にして、噴霧ゾーンＢを調節可能に構成するのが好ましい。
【００３６】
噴霧ゾーンＢが、利用者進行方向に幅を持っていなければ（利用者進行方向について、薄い膜状に形成されていれば）、消毒剤は利用者Ｍの正面側にのみ付着し、利用者Ｍの背面には付着しない。
その結果、利用者Ｍの背面における衣服等に付着した汚染物質や微生物等は、排除されること無く住宅に侵入し、住宅内の雰囲気内に拡散してしまう。
これに対して、図示の実施形態では、中空管状部材１０の長手方向（アーチに沿った方向）に、総計１８個（２列×９個）の噴射ノズル７を設けている。そして、利用者Ｍの進行方向については、幅ｗを隔てて、ノズル７を２個ずつ配置している。
利用者Ｍの進行方向については、幅ｗを隔てて、ノズル７を２個ずつ配置しているため、ノズル７から浄化材を噴霧すると、浄化材が噴霧されて空気中に漂っている領域（噴霧ゾーン）Ｂは、利用者Ｍの進行方向に、一定の幅（例えば５０ｃｍ程度）を持つことが出来る。噴霧ゾーンＢが利用者Ｍの進行方向に一定の幅（例えば５０ｃｍ程度）を持っていれば、空気中に漂っている浄化材は、当該噴霧ゾーンＢを通過する利用者Ｍの背中側にも付着することが可能となる。そして、利用者Ｍの背面における衣服等に付着した汚染物質や微生物等は、浄化材の作用により、住宅内で拡散する以前に浄化される。
【００３７】
図示の実施形態では、噴射ノズル７は中空間状部材１０のみに設けてあり、柱状部材２０、３０には設けていない。
ここで、マット９にはノズル７は設けられておらず、マット９から上方に向かって、浄化材（例えば消毒剤）を噴射してはいない。
ノズル７から噴射された消毒剤の噴霧（ミスト）は、微細な粒子ではあるが重量を有している。したがって、上述した配置の噴射ノズル７であっても、消毒剤のミストは、時間の経過とともにゆっくりと下方に落下する。すなわち、噴霧ゾーンＢは、通過する利用者Ｍの下半身まで及ぶこととなる。
すなわち、消毒剤のミストは、通過する利用者Ｍのパンツ、スカート等の範囲にも到達している。そのため、マット９から上方に向かって、消毒剤を噴射する必要はない。
これに対して、マット９から消毒剤を上方へ噴射してしまうと、マット９からの噴流により噴霧ゾーンＢの消毒剤が飛ばされてしまい、上述したような消毒効果が得られなくなる。
【００３８】
靴底には、各種の汚物や、雑菌、その他が付着する可能性が高く、大変に汚れている。
ここで、国内では靴は、玄関で脱ぐので、住宅内に靴底の汚染物質が持ち込まれてしまうことはない。
しかし、靴をそのまま靴箱にしまい、靴底が乾くと、汚染物質や雑菌等が空気中に散乱してしまう可能性がある。
これに対して、図示の実施形態では、足元のマット９の中央領域から殺菌剤、消毒剤が滲み出てくるように構成されている。
図示の実施形態によれば、滲み出した消毒剤が靴底に接触することにより、靴底の汚染物質や雑菌その他が消滅する。したがって、靴底が乾いた後に、汚染物質や雑菌その他が住宅内に散乱する事態が防止される。
【００３９】
さらに、図示の実施形態では、フットセンサ９０に加えて手動スイッチ８０を有している。これにより、手荷物Ｎ（図３参照）の消毒やペットの消毒も可能となる。
手荷物Ｎや図示しないペットは、中空管状部材１０下方の消毒剤が漂っている領域（噴霧ゾーン）Ｂを通過しない可能性がある。
手動スイッチ８０を設けておけば、手荷物Ｎやペットを噴霧ゾーンＢに位置させた状態で手動スイッチ８０を操作して、手荷物Ｎやペットに消毒剤を直接噴霧することが可能である。
その結果、手荷物Ｎやペットに付着した汚染物質や微生物等は、消毒剤の作用により、住宅内で散乱する以前に排除されて、衛生的である。
また、インフルエンザに感染している可能性が高い人（インフルエンザ患者に接触した可能性が高い人）は、中空管状部材１０下に静止して、複数回、手動スイッチ８０を操作して、消毒剤を複数回噴霧して、入念に微生物（例えば、インフルエンザウィルス）を除去することが可能となる。
【００４０】
図示の実施形態において、消耗品はカートリッジタンク４のみにするのが良い。
また、浄化材として、消毒剤が例示されているが、それに代えて、殺菌剤や抗菌剤（無菌剤）、或いは、いわゆる「強電解水」を使用することも可能である。さらに、消臭剤、芳香剤の添加することも可能である。
これに加えて、オゾンや、フィトンチッテ（森林浴物質）を添加することも可能である。
ここで、強電解水は強酸性水と強アルカリ性水の包括名称であり、優れた殺菌効果を発揮しながら、人や環境には優しい水として、広く知られている。隔膜を介してプラス極とマイナス極に仕切られた電解槽で、薄い食塩水を電気分解すると、プラス極側には強酸性電解水（強酸性水）が生成され、マイナス極側には強アルカリ性電解水（強アルカリ性水）が生成される。
【００４１】
次に、図５に基づいて、当該浄化装置１０１における浄化材噴霧の手順を、図２〜図４をも参照して説明する。
図５のステップＳ１において、コントロールボックス８の図示しないマイクロプロセッサは、フットセンサ９０からの情報によって所定以上の重量を検知したか（利用者Ｍがマット９に乗ったか）否かを判断する。
所定以上の重量を検知したなら（ステップＳ１がＹＥＳ）、ステップＳ２に進む。検知しない場合（ステップＳ１がＮＯ）は、ステップＳ１が「ＮＯ」のループを繰り返す。
【００４２】
ステップＳ２では、コントロールボックス８は、所定量の浄化材を噴霧するべく、浄化材噴霧ノズル７に制御信号を発信し、ノズル７は所定量の浄化材を噴霧する。そしてステップＳ３に進む。
【００４３】
ステップＳ３では、コントロールボックス８は、利用者が手動スイッチ８０を押したか否かを判断する。利用者Ｍが手動スイッチ８０を押したのであれば（ステップＳ３がＹＥＳ）、利用者Ｍが、手荷物やペットの消毒も要求している、或いはもっと入念に消毒を望んでいると判断し、ステップＳ４に進む。
一方、手動スイッチ８０を押していなければ（ステップＳ３がＮＯ）、ステップＳ５に進む。
【００４４】
ステップＳ４では、コントロールボックス８は、所定量の浄化材を噴霧するべく、浄化材噴霧ノズル７に制御信号を発信する。そして、ノズル７から、所定量の浄化材を噴霧する。そしてステップＳ５に進む。
【００４５】
ステップＳ５では、浄化装置１０１の稼動が終了したか否かを判断する。
浄化装置１０１の稼動が終了したのであれば（ステップＳ５がＹＥＳ）、例えば、人手によって電源が切られる。
浄化装置１０１の稼動を続行するのであれば（ステップＳ４がＮＯ）、ステップＳ１以降を繰り返す。
【００４６】
次に、図６、図７を参照して、実施形態の第１変形例について説明する。
図１〜図５の実施形態では、消毒剤はゲートを構成する平板な中空管状部材１０からのみ噴霧するように構成されている。
これに対して、図６、図７で示す第１変形例（浄化装置全体に符号１０２を付す）では、柱状部材２１、３１からも、消毒剤が噴霧されるように構成されている。
図６において、第２実施形態の浄化装置１０２は、左右の柱状部材２１、３１における通路に面した側面に、複数箇所において（例えば４箇所）、噴射ノズル７ａを備えている。但し、ノズル７ａの総数や配置箇所は、図６で示すものには限定されない。
【００４７】
図７において、ポンプ５の吐出側のチューブＴ２は、ノズル７に連通している。
ただし、チューブＴ２はチューブＴ３を分岐しており、チューブＴ３は、柱状部材２１、３１のノズル７ａに連通している。
図６、図７の第１変形例によれば、柱状部材２１、３１のノズル７ａから、消毒剤が噴霧されることにより、特に、利用者の下半身やペットが通過する領域において、浄化材が空気中に漂っている噴霧ゾーンＢが、確実に形成される。
そのため、下半身に付着した汚染物質や微生物、或いはペットに付着した汚染物質や微生物の消毒が確実に行われ、下半身或いはペットに付着した汚染物質や微生物が住宅内に持ち込まれてしまうことが防止される。
【００４８】
図６、図７の第１変形例におけるその他の構成及び作用効果については、図１〜図５の実施形態と同様である。
【００４９】
図８は、第２変形例を示しており、浄化装置１０１を、個人住宅で用いた場合を示している。
図８において、浄化装置１０１は、個人住宅の玄関ドア２００の玄関内部に設置されている。
浄化装置１０１の中空管状部材１０は、全体が概略コ字状に構成されている。中空管状部材１０の垂直部分１２は、転倒防止のために、Ｌ字状の金具３００と締結部材ＢＮによって、玄関ドア２００近傍（例えば図示しないドアフレーム等）に固着されている。
当該浄化装置１０１は、上述のような転倒防止策を講じているため、平板２Ｂ、３Ｂ（図２、図６参照）は用いていない。
図８の、第２変形例におけるその他の構成および作用効果は、図１〜図７を参照して説明したのと同様である。
【００５０】
図示の実施形態はあくまでも例示であり、本発明の技術的範囲を限定する趣旨の記述ではない。
【符号の説明】
【００５１】
４・・・カートリッジタンク
５・・・浄化材搬送ポンプ
７・・・浄化材噴霧ノズル／ノズル
８・・・コントロールボックス
９・・・敷物状部材／マット
１０・・・中空管状部材
１１・・・上方部分
１２・・・垂直部分
２０・・・柱状部材
３０・・・柱状部材
９０・・・重量センサ
１０１・・・浄化装置
【図１】
2011067498.tif 000003
【図２】
2011067498.tif 000004
【図３】
2011067498.tif 000005
【図４】
2011067498.tif 000006
【図５】
2011067498.tif 000007
【図６】
2011067498.tif 000008
【図７】
2011067498.tif 000009
【図８】
2011067498.tif 000010
【手続補正書】
【提出日】平成21年12月14日(2009.12.14)
【手続補正１】
【補正対象書類名】明細書
【補正対象項目名】０００８
【補正方法】変更
【補正の内容】
【０００８】
本発明によれば、上方の半円弧状部分（１１）とその両端から下方に延在する垂直部分（１２）を有し断面が扁平とされた中空管状部材（１０）と、前記垂直部分（１２）の下端にそれぞれ接続された柱状部材（２０、３０）とを有する浄化装置において、前記中空管状部材（１０）の扁平な断面形状の長手方向は利用者（Ｍ）の進行方向に２箇所に配置された浄化材噴霧ノズル（７）を備え、その浄化材噴霧ノズル（７）の噴射方向は中空管状部材（１０）の利用者（Ｍ）に対向する面について垂直方向であり、その浄化材噴霧ノズル（７）から噴霧する浄化材を貯留するカートリッジタンク（４）と、そのカートリッジタンク（４）にチューブ（Ｔ１）により接続されるとともにチューブ（Ｔ２）により浄化材噴霧ノズル（７）に接続されたポンプ（５）と、該ポンプ（５）を制御す制御手段（８）とが一方の柱状部材（２０）内に設けられ、その一方の柱状部材（２０）において他方の柱状部材（３０）と対向する面には手動スイッチ（８０）が設けられ、中空管状部材（１０）下方の位置に重量センサ（９０）が設けられた敷物状部材（９）が配置され、前記制御手段（８）は、重量センサ（９０）により所定以上の重量が検知されるとポンプ（５）を作動して浄化材噴霧ノズル（７）から所定量の浄化材を噴霧し、その後手動スイッチ（８０）が押されるとポンプ（５）を作動して浄化材噴霧ノズル（５）から所定量の浄化材を噴霧する機能を有している。
【手続補正２】
【補正対象書類名】明細書
【補正対象項目名】０００９
【補正方法】変更
【補正の内容】
【０００９】
また本発明によれば、利用者（Ｍ）の進行方向に関して左右の柱状部材（２１、３１）における通路に面した側面の複数箇所に噴射ノズル（７ａ）が設けられている。
【手続補正３】
【補正対象書類名】明細書
【補正対象項目名】００１０
【補正方法】削除
【補正の内容】
【手続補正４】
【補正対象書類名】明細書
【補正対象項目名】００１９
【補正方法】変更
【補正の内容】
【００１９】
【図１】本発明の参考例を示す図である。
【図２】図１の実施形態を詳細に示す図である。
【図３】実施形態において、浄化材が噴霧される領域と、その領域を通過する利用者とを模式的に示す図である。
【図４】実施形態における浄化材供給機構及び配置系を示す図である。
【図５】実施形態における浄化材噴射の手順を示すフローチャートである。
【図６】実施形態の弟１変形例を示す図である。
【図７】第１変形例における浄化材供給機構及び配置系を示す図である。
【図８】実施形態の弟２変形例を示す図である。
【手続補正５】
【補正対象書類名】明細書
【補正対象項目名】００２０
【補正方法】変更
【補正の内容】
【００２０】
以下、添付図面を参照して、本発明の実施形態について説明する。
図２〜図４は、本発明の実施形態を示している。図１は参考例の概要を概念的に示している。
図１において、全体を符号１０１で示す浄化装置は、中空管状部材１０、柱状部材２０、３０を有している。
柱状部材２０において、柱状部材３０と対向する面には、手動スイッチが設けられている。
図１では、柱状部材２０、３０が四角柱で示されているが、実機においては、図２に示すように構成されるのが好ましい。
【手続補正６】
【補正対象書類名】特許請求の範囲
【補正対象項目名】全文
【補正方法】変更
【補正の内容】
【特許請求の範囲】
【請求項１】
上方の半円弧状部分（１１）とその両端から下方に延在する垂直部分（１２）を有し断面が扁平とされた中空管状部材（１０）と、前記垂直部分（１２）の下端にそれぞれ接続された柱状部材（２０、３０）とを有する浄化装置において、前記中空管状部材（１０）の扁平な断面形状の長手方向は利用者（Ｍ）の進行方向に２箇所に配置された浄化材噴霧ノズル（７）を備え、その浄化材噴霧ノズル（７）の噴射方向は中空管状部材（１０）の利用者（Ｍ）に対向する面について垂直方向であり、その浄化材噴霧ノズル（７）から噴霧する浄化材を貯留するカートリッジタンク（４）と、そのカートリッジタンク（４）にチューブ（Ｔ１）により接続されるとともにチューブ（Ｔ２）により浄化材噴霧ノズル（７）に接続されたポンプ（５）と、該ポンプ（５）を制御す制御手段（８）とが一方の柱状部材（２０）内に設けられ、その一方の柱状部材（２０）において他方の柱状部材（３０）と対向する面には手動スイッチ（８０）が設けられ、中空管状部材（１０）下方の位置に重量センサ（９０）が設けられた敷物状部材（９）が配置され、前記制御手段（８）は、重量センサ（９０）により所定以上の重量が検知されるとポンプ（５）を作動して浄化材噴霧ノズル（７）から所定量の浄化材を噴霧し、その後手動スイッチ（８０）が押されるとポンプ（５）を作動して浄化材噴霧ノズル（５）から所定量の浄化材を噴霧する機能を有することを特徴とする浄化装置。
【請求項２】
利用者（Ｍ）の進行方向に関して左右の柱状部材（２１、３１）における通路に面した側面の複数箇所に噴射ノズル（７ａ）が設けられている請求項１記載の浄化装置。
【請求項３】
重量センサ（９０）が所定値以上の重量を検知すると、敷物状部材（９）から浄化材が滲み出る請求項１又は２の何れか１項記載の浄化装置。